(57)【要約】      （修正有）【課題】長時間、曇らない透明度を維持する水泳用ゴーグルのレンズ部を提供する。【解決手段】レンズ部がベツセル（容器）式の構造の条件（真空、水、乾燥空気）でレンズ面Ａ１−Ｂ１間の熱輻射、伝導を減らし温度差を小さくすることにより曇らない、透明度が維持できる水泳ゴーグルのレンズ部。【選択図】図２
2010017506.tif 000002
【特許請求の範囲】
【請求項１】
水泳（中）用ゴーグルのレンズをベツセル（容器）式で、ベツセル内を真空、液体、乾燥ガス（空気も含む）、薬剤を封入（止）出来る構造によりレンズ内面Ａに曇り（水滴）がでなくなる、透明度が長く維持できる特徴の水泳（中）用ベーセル（容器）式レンズゴーグル。
【発明の詳細な説明】
【技術分野】
【０００１】本考案は水泳（中）用ゴーグルのレンズ２に関してさらに詳しくはレンズ内Ａの水滴による曇り防止及び透明度保持、快適で明るく良く見える水泳（中）用レンズゴーグルを提供する。ベーセル（容器）の構造、条件を変える事ができる。
【背景技術】
【０００２】水泳（中）用ゴーグルのレンズ内Ａは曇らず、透明度を長く維持しなければならないが、短時間で透明度が低下して、水泳（中）環境が悪くなる。
特に競技の長距離レースではレンズが曇り影響があり、勿論コーテイング剤もありますが効果が時間によつては保持できなかつた。
【発明の開示】
【発明を解決しようとする課題】
【０００３】本考案は上述の水泳（中）ゴーグル内部Ａのレンズ面Ａ１の有する欠点を改善するためになされたものであり、具体的には本考案は着用者のレンズ面Ａ１の曇りを無くすことにより快適な環境で水泳（中）の行動ができる水泳（中）用曇り防止及び透明度が維持できるゴーグルを提供するることを課題としている。
【課題を解決するための手段】
［請求項１］の考案は、ゴーグルのレンズ内面が水滴による曇りを防止し、透明度を維持できるものである。
本来の水泳（中）ゴーグルのレンズ［図面３］はＡ−Ｂ間が１枚の為直接Ｂ側の温度が伝わりゴーグル内Ａ部に温度差が生じ湿気が発生してレンズ面Ａ１が曇った。
解決する手段として本考案はレンズ部がベーセル（容器）の構造でベーセル内部Ｃを真空、液体（水も含む）、乾燥ガス（空気も含む）、薬剤の各条件によりレンズＡ−Ｂ間に温度が直接伝わらず温度が干渉して曇りが発生しない。
ベーセル内Ｃの条件で明るい透明が維持できる。
温度差が生じる原因のＡ−Ｂ間の熱伝導及び輻射によるものを少なくする構造である水泳（中）用ゴーグルのベーセル（容器）式レンズゴーグルとしている。［図面２］参照。
【発明の効果】
本考案の水泳（中）用ベツセル（容器）式レンズゴーグルは水泳、水泳競技、水での作業に使用する事によりゴーグル内レンズＡ１が曇らず透明度長く保持出来良好な環境で行動できる。
【発明を実施するための最良の形態】１  本考案の水泳（中）用ベツセル（容器）式レンズゴーグルは図面２のベツセル（容器）内Ｃに側面５の穴があり、封入、封止、開放が選定できる。
２  ベツセル（容器）Ｃ側面５を熱伝導を少なくしてある構造である。
３  ベツセル（容器）内Ｃは真空の条件時、アウトガスのでない材質である。
４  ベツセル（容器）内Ｃは清掃も配慮して分解可能な構造である。
５  ベツセル（容器）内ＣのＣ１−Ｃ２間は条件により寸法を決める。
６  ベツセル（容器）内Ｃの穴の形状は内部の条件により決定する。
７  ベツセル（容器）内のレンズ面Ａ１Ｂ２は透明度、平滑度（眼視も同じ）、強度である。
８  ベーセル（容器）式レンズ部の断面図２のＣ内は輻射が少ない構造である。
【実施例】１  本考案の水泳（中）用ゴーグルのベーセル（容器）式レンズ部の断面図、
2010017506.tif 000003
３  ベツセル（容器）内（Ｃ）を真空封止して実施。
2010017506.tif 000004
【産業上の利用可能性】この考案は水泳（中）で、ゴーグル内のレンズ（Ａ１）が短時間で曇り、透明度が悪くなることがなくなり、水泳（中）環境が良好で、競技でもスピードにも影響あり特に長距離レースではスタミナの配分等で、効果があります。
【図面の簡単な説明】本考案の水泳（中）用ゴーグルのベーセル（容器）式レンズゴーグルとしている。
【図１】水泳（中）用ゴーグルのベーセル（容器）式レンズゴーグルの斜視図及び水泳の図。
【図２】本考案の水泳（中）用ゴーグルのベーセル（容器）式レンズ部の断面図及びレンズの前面図。
【図３】本来（一般）の水泳（中）用ゴーグルレンズの断面図。
【符号の説明】
１      水泳（水中）用ゴーグル
２      ベーセル（容器）式レンズ
Ａ      ゴーグルのレンズ内面
Ａ１    ベツセル式レンズの内面（眼側）
Ｂ      レンズ外部
Ｂ１    ベーセル（容器）式レンズの外面
Ｃ      ベーセル（容器）内
Ｃ１    ベーセル（容器）内の眼側面
Ｃ２    ベーセル（容器）内の外面
３      封入、封止用の口（穴）
３１    栓
４      レンズフレーム
５      ベーセル（容器）式レンズフレームの側面部
６      ブリツジ部
７      一般（従来）の水泳（中）用ゴーグル。［図３］
Ｗ      水中
Ｅ      大気（空気）中
2010017506.tif 000005
【図１】
2010017506.tif 000006
【図２】
2010017506.tif 000007
【図３】
2010017506.tif 000008
【手続補正書】
【提出日】平成20年10月1日(2008.10.1)
【手続補正１】
【補正対象書類名】明細書
【補正対象項目名】全文
【補正方法】変更
【補正の内容】
【発明の詳細な説明】
【技術分野】
【０００１】本考案は水泳（中）用ゴーグルのレンズ２に関してさらに詳しくはレンズ内Ａの水滴による曇り防止及び透明度保持、快適で明るく良く見える水泳（中）用レンズゴーグルを提供する。    ベーセル（容器）の構造、条件を変える事ができる。
【背景技術】
【０００２】水泳（中）用ゴーグルのレンズは透明度を長く維持しなければならないが、短時間で透明度が低下して、水泳（中）環境が悪くなる。
2010017506.tif 000009
ありますが効果が時間で保持できなかつた。
【発明の開示】
【発明を解決しようとする課題】
【０００３】本考案は上述の水泳（中）ゴーグル内部Ａのレンズ面Ａ１の有する欠点を改善するためになされたものであり、具体的には本考案は着用者のレンズ面Ａ１の曇りを無くすことにより快適な環境で水泳（中）の行動ができる水泳（中）用曇り防止及び透明度が維持できるゴーグルを提供することを課題としている。
【課題を解決するための手段】
【０００４】１  ［請求項１］の考案は、ゴーグルのレンズ内面が水滴による曇りを防止し、透明度を維持できるものである。
２  本来の水泳（中）ゴーグルのレンズ［図面３］はＡ−Ｂ間が１枚の為直接Ｂ側の温度が伝わりゴーグル内Ａ部に温度差が生じ湿気が発生してレンズ面Ａ１が曇った。
３  解決する手段として本考案はレンズ部がベーセル（容器）の構造でベーセル内部Ｃを真空、液体（水も含む）、乾燥ガス（空気も含む）、薬剤の各条件によりレンズＡ−Ｂ間に温度が直接伝わらず温度が干渉して曇りが発生しない。ベーセル内Ｃの条件で明るい透明が維持できる。
４．  温度差が生じる原因のＡ−Ｂ間の熱伝導及び輻射によるものを少なくする構造である水泳（中）用ゴーグルのベーセル（容器）式レンズゴーグルとしている。［図面２］参照。
【発明の効果】
【０００５】本考案の水泳（中）用ベツセル（容器）式レンズゴーグルは水泳、水泳競技、水での作業に使用する事によりゴーグル内レンズＡ１が曇らず透明度長く保持出来良好な環境で行動できる。
【発明を実施するための最良の形態】
【０００６】１  本考案の水泳（中）用ベツセル（容器）式レンズゴーグルは図面２のベツセル（容器）内Ｃに側面５の穴があり、封入、封止、開放が選定できる。
２  ベツセル（容器）Ｃ側面５を熱伝導を少なくしてある構造である。
３  ベツセル（容器）内Ｃは真空の条件時、アウトガスのでない材質である。
４  ベツセル（容器）内Ｃは清掃も配慮して分解可能な構造である。
５  ベツセル（容器）内ＣのＣ１−Ｃ２間は条件により寸法を決める。
６  ベツセル（容器）内Ｃの穴の形状は内部の条件により決定する。
７  ベツセル（容器）内のレンズ面Ａ１Ｂ２は透明度、平滑度（眼視も同じ）、強度である。
８  ベーセル（容器）式レンズ部の断面図２のＣ内は輻射が少ない構造である。
【実施例】
【０００７】
2010017506.tif 000010
【産業上の利用可能性】
【０００８】この考案は水泳（中）で、ゴーグル内のレンズ（Ａ１）が短時間で曇り、透明度が悪くなることがなくなり、水泳（中）環境が良好で、競技でもスピードにも影響あり特に長距離レースではスタミナの配分等で、効果があります。
水中での作業にも不快感がなく自由な行動が取れます。
【図面の簡単な説明】
【０００９】本考案の水泳（中）用ゴーグルのベーセル（容器）式レンズゴーグルとしている。【図１】水泳（中）用ゴーグルのベーセル（容器）式レンズゴーグルの斜視図及び水泳の図。
【図２】本考案の水泳（中）用ゴーグルのベーセル（容器）式レンズ部の断面図及びレンズの前面図。
【図３】本来（一般）の水泳（中）用ゴーグルレンズの断面図。
【符号の説明】
【００１０】１      水泳（水中）用ゴーグル
２      ベーセル（容器）式レンズ
Ａ      ゴーグルのレンズ内面
Ａ１    ベツセル式レンズの内面（眼側）
Ｂ      レンズ外部
Ｂ１    ベーセル（容器）式レンズの外面
Ｃ      ベーセル（容器）内
Ｃ１    ベーセル（容器）内の眼側面
Ｃ２    ベーセル（容器）内の外面
３      封入、封止用の口（穴）
３１    栓
４      レンズフレーム
５      ベーセル（容器）式レンズフレームの側面部
６      ブリツジ部
７      一般（従来）の水泳（中）用ゴーグル。［図３］
Ｗ      水中
Ｅ      大気（空気）中